(57)【要約】【課題】本発明は、簡単な回路構成により短時間で正確に選局動作を行うことができる選局装置を提供することを目的とするものである。【解決手段】録画再生部１のチューナ１０及び受信部２のチューナ２０からのＡＦＴ電圧をＡＦＴ電圧検出部３０で検出し、録画再生部１の映像情報処理部１３で分離される同期信号をパルスカウンタ３１でカウントして同期検出部３３で同期の有無を検出する。選局部３２は、チューナ１０に同調指示信号を送信して同期が検出されたときの同調周波数データ及びＡＦＴ電圧値を記憶部４に記憶させておき、チューナ２０のチャンネル切換処理の際に記憶されたデータにより選局動作を行う。【選択図】図２
2005167434.tif 000002
【特許請求の範囲】
【請求項１】
チャンネルに対応した同調指示信号に基づいて中間周波信号を出力するチューナと、中間周波信号を増幅するとともにＡＦＴ電圧を出力するＶＩＦ回路と、該ＶＩＦ回路から出力される中間周波信号より同期信号を分離して出力する映像信号処理回路と、前記同調指示信号を前記チューナに出力するとともにＡＦＴ電圧に基づいて前記チューナのＡＦＴ制御を行う制御回路とを備え、前記制御回路は、前記同期信号に基づいて同期の有無を検出する同期検出手段と、前記同期検出手段が同期有りと検出しかつＡＦＴ電圧が所定範囲であることを検出したときの同調周波数データ及びＡＦＴ電圧値をチャンネル毎に記憶する記憶手段と、チャンネル切換信号に基づいて該当チャンネルの同調周波数データ及びＡＦＴ電圧値を前記記憶手段から読み出して選局を行う選局制御手段とを備えたことを特徴とする選局装置。
【請求項２】
チャンネルに対応した同調指示信号に基づいて中間周波信号を出力する複数のチューナと、各チューナの中間周波信号を増幅するとともにＡＦＴ電圧を出力する複数のＶＩＦ回路と、各ＶＩＦ回路から出力される中間周波信号より同期信号を分離して出力する映像信号処理回路と、前記同調指示信号を前記各チューナに出力するとともにＡＦＴ電圧に基づいて前記各チューナのＡＦＴ制御を行う制御回路とを備え、前記制御回路は、特定のチューナから出力される中間周波信号より分離された前記同期信号に基づいて同期の有無を検出する同期検出手段と、前記同期検出手段が同期有りと検出しかつ前記ＡＦＴ電圧が所定範囲であることを検出したときの同調周波数データ及びＡＦＴ電圧値をチャンネル毎に記憶する記憶手段と、前記特定のチューナ以外のチューナに関するチャンネル切換信号に基づいて該当チャンネルの同調周波数データ及びＡＦＴ電圧値を前記記憶手段から読み出して当該チューナの選局を行う選局制御手段とを備えたことを特徴とする選局装置。
【請求項３】
前記特定のチューナは、録画用のチューナであることを特徴とする請求項２に記載の選局装置。
【請求項４】
前記選局制御手段は、前記記憶手段から読み出された同調周波数データよりも所定周波数分低い周波数データから開始し周波数を徐々に上昇させるように制御してＡＦＴ電圧が所定範囲に達するまで選局動作を行うことを特徴とする請求項１から３のいずれかに記載の選局装置。
【発明の詳細な説明】
【技術分野】
【０００１】
本発明は、テレビジョン受像機やチューナ内蔵のＶＴＲ等のチューナを備えた電子機器における選局装置に関する。
【背景技術】
【０００２】
テレビジョン受像機等の電子機器では、その設置場所により電波の受信環境が異なるため、それぞれの電子機器毎にチューニング操作を行う必要がある。こうしたチューニング操作はチャンネル毎に行なわなければならず、非常に手間がかかることから、自動的に行う方法が提案されている。
【０００３】
例えば、特許文献１では、チューナに印加される同調電圧を自動可変にして受信テレビジョン信号の同期信号とＡＦＴ信号に基づいて同調点を自動的に決めるオートサーチチューニングシステムにおいて、同期信号の有無を判定する基準値を複数用意しておき切換キーの操作によって選択できるようにした点が記載されている。また、特許文献２では、チャンネル切換指示に基づいてチューナの選局電圧を可変させて受信周波数を変更した場合マイコンがＡＧＣ電圧及びＡＦＴ電圧の安定を確認してから、ＡＦＴ電圧が基準電圧値であるかを点検し、その時点の受信状態を保存して選局動作を終了する点が記載されている。また、特許文献３では、ビデオデコーダから出力される同期検出信号が同期信号有りを示す際に、チューナが発生したＩＦ−ＡＧＣ電圧値と同調指示信号により指示されたチャンネル情報とを対応づけて記憶するようにした点が記載されている。
【特許文献１】特開平７−７３９１号公報
【特許文献２】特開２００１−１１９６４３号公報
【特許文献３】特開２００３−１７９８２４号公報
【発明の開示】
【発明が解決しようとする課題】
【０００４】
上述した先行文献では、テレビジョン信号の同期信号の有無を検出して選局動作を行っているが、選局動作を行うたびに同期信号の有無を検出するためその分時間がかかるようになる。また、テレビを視聴しながら別のチャンネルで録画が可能な機器の場合複数のチューナを設ける必要があるが、チューナ毎に同期信号の有無を検出する回路を設けなければならない。
【０００５】
また、ＡＧＣ電圧を用いて選局動作を行う場合ＡＧＣ電圧は外的要因により変動しやすく安定していないため、正確な選局動作を行うことが難しい。
【０００６】
そこで、本発明は、簡単な回路構成により短時間で正確に選局動作を行うことができる選局装置を提供することを目的とするものである。
【課題を解決するための手段】
【０００７】
本発明に係る選局装置は、チャンネルに対応した同調指示信号に基づいて中間周波信号を出力するチューナと、中間周波信号を増幅するとともにＡＦＴ電圧を出力するＶＩＦ回路と、該ＶＩＦ回路から出力される中間周波信号より同期信号を分離して出力する映像信号処理回路と、前記同調指示信号を前記チューナに出力するとともにＡＦＴ電圧に基づいて前記チューナのＡＦＴ制御を行う制御回路とを備え、前記制御回路は、前記同期信号に基づいて同期の有無を検出する同期検出手段と、前記同期検出手段が同期有りと検出しかつＡＦＴ電圧が所定範囲であることを検出したときの同調周波数データ及びＡＦＴ電圧値をチャンネル毎に記憶する記憶手段と、チャンネル切換信号に基づいて該当チャンネルの同調周波数データ及びＡＦＴ電圧値を前記記憶手段から読み出して選局を行う選局制御手段とを備えたことを特徴とする。
【０００８】
本発明に係る別の選局装置は、チャンネルに対応した同調指示信号に基づいて中間周波信号を出力する複数のチューナと、各チューナの中間周波信号を増幅するとともにＡＦＴ電圧を出力する複数のＶＩＦ回路と、各ＶＩＦ回路から出力される中間周波信号より同期信号を分離して出力する映像信号処理回路と、前記同調指示信号を前記各チューナに出力するとともにＡＦＴ電圧に基づいて前記各チューナのＡＦＴ制御を行う制御回路とを備え、前記制御回路は、特定のチューナから出力される中間周波信号より分離された前記同期信号に基づいて同期の有無を検出する同期検出手段と、前記同期検出手段が同期有りと検出しかつ前記ＡＦＴ電圧が所定範囲であることを検出したときの同調周波数データ及びＡＦＴ電圧値をチャンネル毎に記憶する記憶手段と、前記特定のチューナ以外のチューナに関するチャンネル切換信号に基づいて該当チャンネルの同調周波数データ及びＡＦＴ電圧値を前記記憶手段から読み出して当該チューナの選局を行う選局制御手段とを備えたことを特徴とする。さらに、前記特定のチューナは、録画用のチューナであることを特徴とする。
【０００９】
そして、上記の選局装置において、前記選局制御手段は、前記記憶手段から読み出された同調周波数データよりも所定周波数分低い周波数データから開始し周波数を徐々に上昇させるように制御してＡＦＴ電圧が所定範囲に達するまで選局動作を行うことを特徴とする。
【発明の効果】
【００１０】
上記のような構成を有することで、同期検出手段が同期有りと検出しかつＡＦＴ電圧が所定範囲であることを検出したときの同調周波数データ及びＡＦＴ電圧値をチャンネル毎に記憶しておき、以後のチャンネル切換時には該当チャンネルの同調周波数データ及びＡＦＴ電圧値を前記記憶手段から読み出して選局を行うようにしているので、一度チャンネル毎に同調周波数データ及びＡＦＴ電圧値を記憶すれば同期検出を行わずに選局を行うことができ、短時間に選局を行うことが可能となる。また、外的要因から影響を受けにくいＡＦＴ電圧値を用いて選局動作を行うので、安定した正確な選局を行うことが可能となる。
【００１１】
また、複数のチューナを備えた選局装置では、特定のチューナについて同期検出手段が同期有りと検出しかつＡＦＴ電圧が所定範囲であることを検出したときの同調周波数データ及びＡＦＴ電圧値をチャンネル毎に記憶しておき、特定のチューナ以外のチューナに関するチャンネル切換時には該当チャンネルの同調周波数データ及びＡＦＴ電圧値を前記記憶手段から読み出して選局を行うようにしているので、特定チューナ以外のチューナについては、同期検出を行う必要がなくなり、そのための同期検出回路や検出処理を省略することができる。したがって、回路及び処理を簡素化できるとともに短時間で正確に選局動作を行うことが可能となる。
【００１２】
また、特定のチューナを録画用のチューナとすることで、視聴用のチューナの選局動作は録画用のチューナにおいて決められた同調周波数データ及びＡＦＴ電圧値を用いて行うことができ、視聴用のチューナでの選局動作を短時間で正確に行うことができ、回路構成が簡素化されて装置自体をよりコンパクト化できる。
【００１３】
また、選局制御手段は、記憶手段から読み出された同調周波数データよりも所定周波数分低い周波数データから開始し周波数を徐々に上昇させるように制御してＡＦＴ電圧が所定範囲に達するまで選局動作を行うようにしているので、実際の同調周波数が記憶されたデータからずれたとしても選局動作を確実に行うことができる。
【発明を実施するための最良の形態】
【００１４】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１５】
図１は、本発明の実施形態を備えた映像表示装置の全体ブロック図である。映像表示装置は、テレビジョン放送を受信して録画再生を行う録画再生部１と、テレビジョン放送を視聴するための受信部２と、装置全体の制御を行う制御部３と、制御に必要なプログラムやデータを記憶する記憶部４と、録画再生部１又は受信部２からの映像信号を受信してＣＲＴ６に表示するように処理する映像表示処理回路５と、操作者がリモコン８で操作した操作信号を受信する操作情報入力部７を備えている。
【００１６】
録画再生部１は、アンテナで受信したテレビジョン放送信号から目的のチャンネルの周波数の信号を増幅して中間周波信号（周波数５８．７５ＭＨｚ）として出力するチューナ１０と、チューナ１０に接続されて中間周波信号を増幅するＶＩＦ回路１１と、ＶＩＦ回路１１に接続されて中間周波信号から映像信号を取り出す検波回路１２と、検波回路１２に接続されて映像信号を処理して記録再生部１４に出力する映像情報処理部１３を備えている。そして、ＶＩＦ回路１１は、チューナの発振周波数を安定した状態に保つために必要なＡＦＴ電圧を制御部３に出力しており、映像情報処理部１３は、記録再生部１４で再生された映像情報を受信して映像表示処理回路５に送信するとともに映像信号から同期信号を分離して制御部３に出力している。
【００１７】
受信部２は、録画再生部１のチューナ１０、ＶＩＦ回路１１及び検波回路１２と同様のチューナ２０、ＶＩＦ回路２１及び検波回路２２を備えており、検波回路２２から出力された映像信号は映像表示処理回路５に入力されるようになっている。
【００１８】
制御部３は、ＶＩＦ回路１１及びＶＩＦ回路２１から出力されるＡＦＴ電圧を受信するＡＦＴ電圧検出部３０、映像情報処理部１３から出力される同期信号を受信してカウントするパルスカウンタ３１、パルスカウンタ３１のカウント値から同期の有無を検出する同期検出部３３、選択されたチャンネルに対応する同調指示信号をチューナ１０又はチューナ２０に出力するとともにＡＦＴ電圧検出部３０及び同期検出部３３からの検知信号を受信しチューナを制御して選局動作を行う選局部３２、操作情報入力部７から出力される操作信号を受信してチャンネルを判定するチャンネル判定部３５、選局部３２に選局に必要な情報を出力するとともに選局部３２から出力される同調周波数データ及びＡＦＴ電圧値をチャンネル情報とともに記憶部４に記憶させる処理部３４を備えている。
【００１９】
図２は、最初に選局を行うプリセット動作に関する処理フローを示している。プリセット動作が開始されると、まず、１つのチャンネルの中心周波数データｆｃが読み出される（Ｓ１００）。各チャンネルの中心周波数は予め決められており、記憶部４にすべてのチャンネルの中心周波数データがデータテーブルとして記憶されている。そして、例えば、第一チャンネルの中心周波数（９３ＭＨｚ）を処理部３４が読み出す。次に、処理部３４は、選局部３２に読み出された中心周波数データを送信し選局部３２はそのデータに基づいて同調指示信号をチューナ１０に送信する（Ｓ１０１）。
【００２０】
チューナ１０は、同調指示信号に基づいて該当する中心周波数の信号を増幅して中間周波信号をＶＩＦ回路１１に出力し、上述したようにＶＩＦ回路１１から検波回路１２を通して映像情報処理部１３に信号が伝送されて映像情報処理部１３から同期信号が分離されてパルスカウンタ３１に入力されるようになる（Ｓ１０２）。パルスカウンタ３１は、例えば水平同期信号をカウントしていき、そのカウント値が所定時間内に基準値以上であるかを同期検出部３３でチェックする（Ｓ１０３）。同期検出部３３は、パルスカウンタ３１のカウント値で同期の有無を検出しており、カウント値が基準値より小さい場合には同期無しの検出信号を選局部３２に送信する。
【００２１】
選局部３２は、同期無しの検出信号を受信すると、中心周波数に所定周波数分加算又は減算処理して（Ｓ１０４）修正した周波数データを再度チューナ１０に送信する。そして、パルスカウンタ３１のカウント値が基準値以上になるまで周波数データを修正する。
【００２２】
同期検出部３３から同期有りの検出信号が選局部３２に送信されると、選局部３２はＡＦＴ電圧検出部３０からＶＩＦ回路１１のＡＦＴ電圧に関するデータを受信する（Ｓ１０５）。そして、選局部３２はＡＦＴ電圧値が所定範囲内であるかチェックする（Ｓ１０６）。図４は、ＡＦＴ電圧と周波数の関係を示しており、横軸及び縦軸にそれぞれ周波数及びＡＦＴ電圧をとっている。ＡＦＴ電圧は周波数に対して正弦波を描くように変化するが、このグラフではその一部分を示している。選局動作を行う場合ＡＦＴ電圧は、図に示すように上限電圧Ｖmax（３．０６Ｖ）と下限電圧Ｖmin（２．６９Ｖ）との間に設定される。したがって、ステップＳ１０６では、上限電圧Ｖmax及び下限電圧Ｖminで規定される範囲にＡＦＴ電圧が入っているかチェックされ、この範囲外の場合にはさらにステップＳ１０４の周波数データの修正が行われて再度同調制御される。
【００２３】
そして、同期検出部３３から同期有りの検出信号を受信しＡＦＴ電圧検出部３０からのＡＦＴ電圧が所定範囲に入っていると判定されると、選局部３２はそのときの同調周波数データｆ１及びＡＦＴ電圧値Ｖ０を処理部３４に送信し、処理部３４はチャンネル番号とともに同調周波数データ及びＡＦＴ電圧値を記憶部４に記憶させる（Ｓ１０７）。
【００２４】
以上のプリセット動作を各チャンネル毎に繰り返して同調がなされたチャンネル番号とそれに対応する同調周波数データｆ１及びＡＦＴ電圧値Ｖ０が記憶部４にすべて記憶される。なお、プリセット動作は、チューナ１０のみを用いて行われ、チューナ２０については行わない。
【００２５】
次に、チャンネル切換を行う場合について説明する。チューナ１０を用いてテレビジョン放送を表示している際にチャンネルを切り換える場合や、録画再生部１で録画中に録画しているチャンネルとは別のチャンネルにチューナ２０を切り換えてテレビジョン放送を表示させる場合である。
【００２６】
チャンネル切換動作は、まずリモコン８で操作者がチャンネルを選択操作してその操作信号が操作情報入力部７に送信される。操作情報入力部７で受信された操作信号はチャンネル判定部３５において選択されたチャンネル情報が判定されて処理部３４に送信される。図３は、チャンネル情報に基づき行われるチャンネル切換処理のフローを示している。処理部３４は、チャンネル情報に該当する同調周波数データｆ１及びＡＦＴ電圧値Ｖ０を記憶部４より読み出す（Ｓ２００）。そして、読み出された同調周波数データｆ１及びＡＦＴ電圧値Ｖ０を選局部３２に送信し、選局部３２は、同調周波数データｆ１から所定周波数ｆ２分減算した周波数データｆｎを算出する（Ｓ２０１）。
【００２７】
算出された周波数データｆｎに基づいて同調指示信号をチューナ２０に送信する。チューナ２０で同調を行って、ＶＩＦ回路２１から出力されるＡＦＴ電圧をＡＦＴ電圧検出部３０で検出する（Ｓ２０３）。そして、検出されたＡＦＴ電圧値がＡＦＴ電圧値Ｖ０に等しいかチェックされる（Ｓ２０４）。チューナ１１において周波数データｆｎで同調動作を開始すると、図４に示すようなＡＦＴ電圧及び周波数の関係があることから、周波数データｆｎは同調周波数データｆ１よりも小さいためＡＦＴ電圧はＡＦＴ電圧値Ｖ０よりも小さく検出される。そして、検出されるＡＦＴ電圧をＡＦＴ電圧値Ｖ０に近づけるように周波数データｆｎを上昇させながらチューナ２０で同調動作を行い、検出されるＡＦＴ電圧がＡＦＴ電圧値Ｖ０に等しくなった時点で同期したものとして選局動作を終了する。
【００２８】
このように、同調周波数データｆ１から所定周波数ｆ２分減算した周波数データｆｎで同調動作を開始することで、記憶された同調周波数データｆ１と実際の同調周波数がずれている場合にも周波数が小さくなる方にずれることが多いことから確実に同調させて選局を行うことができる。所定周波数ｆ２は、ＡＦＴ電圧のずれ補正が可能な範囲である２ＭＨｚ以下の値に設定することが好ましい。
【００２９】
したがって、チューナ２０のチャンネル切換処理を同期検出することなく行うことができるので、処理が簡略化されて短時間で処理を行うことができ、また確実に選局動作を行うことが可能となる。以上説明した例では、同調周波数データｆ１から所定周波数ｆ２分減算した周波数データｆｎで同調動作を開始するようにしているが、同調周波数データｆ１をそのまま使用して同調を行うようにしてもよい。この場合は、さらに処理が簡略化することができる。
【００３０】
また、以上の例ではチャンネル切換処理をチューナ２０で行う場合について説明したが、チューナ１０のチャンネル切換処理についても同様にプリセット動作により記憶された同調周波数データｆ１及びＡＦＴ電圧値Ｖ０を用いて行えば、短時間で処理を行うことができる。
【図面の簡単な説明】
【００３１】
【図１】本発明に係る実施形態を用いた映像表示装置に関するブロック図である。
【図２】プリセット動作での処理フロー図である。
【図３】チャンネル切換処理での処理フロー図である。
【図４】ＡＦＴ電圧及び周波数の関係を示す説明図である。
【符号の説明】
【００３２】
１    録画再生部
２    受信部
３    制御部
４    記憶部
５    映像表示処理回路
６    ＣＲＴ
７    操作情報入力部
８    リモコン
【図１】
2005167434.tif 000003
【図２】
2005167434.tif 000004
【図３】
2005167434.tif 000005
【図４】
2005167434.tif 000006